(57)【要約】  本発明は、筐体（１０）と、香水が含浸されるように、筐体内に少なくとも部分的に挿入されることが可能な試験部材（６０）と、試験部材上に香水を分注するための分注装置（２０）と、試験部材の存在を検出するためのセンサ（３０）と、分注装置を作動させるためのアクチュエータ（４０）と、試験部材の抜き取りの間の分注を始動するために、アクチュエータを制御する処理ユニット（５０）と、を備えた、香水を試験するためのシステム（１）に関する。
2019523873.tif 000002
【特許請求の範囲】
【請求項１】
香水を試験するためのシステム（１）であって、
開口部（１１）を備えた筐体（１０）と、
前記開口部を通じて前記筐体内に少なくとも部分的に挿入されることが可能な試験部材（６０）であって、該試験部材は、少なくとも部分的に、香水が含浸されることが可能な材料から形成された、試験部材（６０）と、
前記筐体内に配置され、且つ前記試験部材上に前記香水を分注することが可能な分注装置（２０）であって、該分注装置は、前記香水を収容した容器に接続された、分注装置（２０）と、
前記筐体内における前記試験部材の存在または不存在を検出することに適した信号を供給するセンサ（３０）と、
前記筐体内に配置され、且つ前記分注装置を作動させることが可能なアクチュエータ（４０）と、
前記センサからの信号を受信して、前記アクチュエータを制御し、香水を前記試験部材上に分注させる処理ユニット（５０）と、
を備え、
前記試験部材（６０）の材料は、硬質且つ多孔質であり、
前記処理ユニット（５０）は、前記試験部材の消失の検出に対応した検出時間（ｔｄ）に対して決定された噴霧時間（ｔｐ）において、前記アクチュエータを制御する、システム。
【請求項２】
大量の香水を前記試験部材に染み込ませることを回避するために、前記処理ユニット（５０）は前記アクチュエータ（４０）を制御して、前回の噴霧時間（ｔｐ´）と今回の時間（ｔ）との間に計測された停止期間（ｄｉ）が第１の制限時間（ＤＬ１）を越えた場合にのみ、前記香水を前記試験部材上に分注させる、請求項１に記載のシステム。
【請求項３】
前記第１の制限時間（ＤＬ１）は６０分に等しい、請求項２に記載のシステム。
【請求項４】
前記試験部材上の香水の量を最小に維持するために、前回の噴霧時間（ｔｐ´）と今回の時間（ｔ）との間に計測された再生期間（ｄｒ）が第２の制限時間（ＤＬ２）よりも大きい間に、前記試験部材の存在が前記筐体内において検出された場合、前記処理ユニット（５０）は、前記試験部材の消失を検出しない限り、前記アクチュエータ（４０）を自動的に制御する、請求項１から請求項３のいずれか一項に記載のシステム。
【請求項５】
前記第２の制限時間（ＤＬ２）は１８０分である、請求項４に記載のシステム。
【請求項６】
前記容器の搭載を検出するための手段（２２）をさらに備え、前記処理ユニット（５０）は、前記容器の搭載を検出した際に、前記分注装置（２０）の準備のために、前記アクチュエータを１回以上制御する、請求項１から請求項５のいずれか一項に記載のシステム。
【請求項７】
プライミングボタンをさらに備え、前記処理ユニット（５０）は、前記プライミングボタンの使用者による作動を検出した際に、前記分注装置（２０）の準備のために、前記アクチュエータを１回以上制御する、請求項１から請求項６のいずれか一項に記載のシステム。
【請求項８】
前記アクチュエータ（４０）は、前記試験部材へと前記分注装置（２０）によって分注される香水の量を変化させることに適した、制御可能なモータ（４１）を備えている、請求項１から請求項７のいずれか一項に記載のシステム。
【請求項９】
前記開口部（１１）に接近して前記筐体の内側に配置された吸収パッド（１６）をさらに備え、該吸収パッドは、前記試験部材の抜き取りの際に、前記試験部材（６０）の少なくとも一部を拭うことに適している、請求項１から請求項８のいずれか一項に記載のシステム。
【請求項１０】
前記吸収パッド（１６）は、前記開口部の下部に配置されている、請求項９に記載のシステム。
【請求項１１】
前記試験部材（６０）は、長手方向（Ｘ）において、香水を含浸させることに適した第１部分（６１）と、前記試験部材を操作することに適した第２部分（６２）と、を備え、前記第１部分（６１）は所定の長さを有し、これにより、前記試験部材が挿入された位置にある場合、前記センサは前記試験部材の存在を検出し、前記第１部分は前記筐体の外側に突出していない、請求項１から請求項１０のいずれか一項に記載のシステム。
【発明の詳細な説明】
【技術分野】
【０００１】
本発明は、香水を試験するためのシステムに関する。
【０００２】
より詳細には、本発明は香水を試験するためのシステムに関し、このシステムは、
開口部を備えた筐体と、
開口部を通じて筐体内に少なくとも部分的に挿入されることが可能な試験部材であって、この試験部材は、少なくとも部分的に、香水が含浸されることが可能な材料から形成された、試験部材と、
筐体内に配置され、且つ試験部材上に香水を分注することが可能な分注装置であって、この分注装置は、香水を収容した容器に接続された、分注装置と、
筐体内における試験部材の存在または不存在を検出することに適した信号を供給するセンサと、
筐体内に配置され、且つ分注装置を作動させることが可能なアクチュエータと、
センサからの信号を受信して、アクチュエータを制御し、香水を試験部材上に分注させる処理ユニットと、
を備えている。
【背景技術】
【０００３】
特許文献１は、香水を試験するためのそのようなシステムの例を記載している。しかしながら、このシステムは、紙または板紙の試験部材を使用し、香水が試験部材に分注される時点を制御していない。システムは、香水に完全に直面することを許容されておらず、特に、香水のベースノート、ハートノート、およびトップノートを正確に得ることを許容されていない。
【先行技術文献】
【特許文献】
【０００４】
【特許文献１】仏国特許出願公開第２，９８７，７６１号明細書
【発明の概要】
【発明が解決しようとする課題】
【０００５】
本発明の目的は、香水を試験するための改良されたシステムを提供することである。
【課題を解決するための手段】
【０００６】
この目的のために、本発明は前述のタイプの、香水の試験のためのシステムを提案しており、このシステムは、
試験部材の材料は、硬質且つ多孔質であり、
処理ユニットは、試験部材の消失の検出に対応した検出時間に対して決定された噴霧時間において、アクチュエータを制御する、ことによって特徴付けられている。
【０００７】
これらの手段と共に、本発明による、香水の試験のための装置は、適切に硬質且つ多孔質の材料から成る試験部材上に香水を分注し、システムの筐体からの試験部材の抜き取りの間、換言すると使用者によって経験されるわずかに前に、高度に制御された様式において香水を分注する。
【０００８】
本発明による、香水の試験のためのシステムの多様な実施形態は、以下の手段の１つ以上から形成され得る。
【０００９】
一態様において、試験部材に大量の香水を染み込ませることを回避するために、前回の噴霧時間と今回の噴霧時間との間に計測された停止期間が、第１の制限時間を超えた場合に限り、処理ユニットはアクチュエータを制御して、香水を試験部材上に分注させる。
【００１０】
一態様においては、第１の制限時間は６０分に等しい。
【００１１】
一態様においては、前記試験部材上の香水の量を最小に維持するために、前回の噴霧時間と今回の時間との間に計測された再生期間の間に、試験部材の存在が筐体内において検出された場合、処理ユニットは、試験部材の消失を検出しない限り、アクチュエータを自動的に制御する。
【００１２】
一態様においては、第２の制限時間は１８０分に等しい。
【００１３】
一態様においては、システムは、容器の搭載を検出するための手段をさらに備え、処理ユニットは、容器の搭載を検出した際に、分注装置の準備のために、アクチュエータを１回以上制御する。
【００１４】
一態様においては、システムはプライミングボタンをさらに備え、処理ユニットは、プライミングボタンの使用者による作動を検出した際に、分注装置の準備のために、アクチュエータを１回以上制御する。
【００１５】
一態様においては、アクチュエータは、試験部材へと分注装置によって分注される香水の量を変化させることに適した、制御可能なモータを備えている。
【００１６】
一態様においては、システムは開口部に接近して筐体の内側に配置された吸収パッドをさらに備え、この吸収パッドは、試験部材の抜き取りの際に、試験部材の少なくとも一部を拭うことに適している。
【００１７】
一態様においては、吸収パッドは開口部の下部に配置されている。
【００１８】
一態様においては、試験部材は、長手方向において、香水を含浸させることに適した第１部分と、試験部材を操作することに適した第２部分と、を備え、第１部分は所定の長さを有し、これにより、試験部材が挿入された位置にある場合、センサは試験部材の存在を検出し、第１部分は筐体の外側に突出していない。
【００１９】
本発明の他の特徴および利点は、添付の図に関して非手限定的な例として与えられた、少なくとも１つの実施形態の以下の記載から明らかになるだろう。
【図面の簡単な説明】
【００２０】
【図１】試験部材を伴った、香水の試験のためのシステムを概略的に示した斜視図である。
【図２】図１のシステムの前面および内部を示した斜視図である。
【図３】図１のシステムの後面を示した斜視図である。
【図４】図２の線ＩＶ−ＩＶに沿った部分断面を示した図であり、挿入された試験部材を検出するセンサを備えた開口部の内部断面を示した図である。
【図５ａ】試験部材の引き出しの間の連続的なステップを概略的に示した図である。
【図５ｂ】試験部材の引き出しの間の連続的なステップを概略的に示した図である。
【図５ｃ】試験部材の引き出しの間の連続的なステップを概略的に示した図である。
【図５ｄ】試験部材の引き出しの間の連続的なステップを概略的に示した図である。
【発明を実施するための形態】
【００２１】
異なった図において、同一の参照符号は同一の、または類似の要素を示している。
【００２２】
図１は、本発明による、香水を試験するためのシステム１を全体的に示した図である。
【００２３】
香水を試験するためのシステム１は、
開口部１１を備えた筐体１０と、
開口部１１を通じて筐体内に少なくとも部分的に挿入されることが可能な試験部材６０と、を第一に備えている。
【００２４】
筐体１０は、例えば立方体であるが、他の任意の形状とし得る。筐体は、プラスチック、金属、ガラス、木等の材料から形成され得る。
【００２５】
開口部１１は例えば筐体の面に設けられ、この面は、（略垂直面内の）側面または（略水平面内の）上面である。開口部１１は例えば長方形、または例えば正方形、円形、三角形、もしくは他の任意の形状を有する。
【００２６】
試験部材６０は、筐体１０内への少なくとも部分的な挿入に関する長手方向Ｘに延びた剛体部材である。
【００２７】
この試験部材６０は、長手方向Ｘに直交した面において、好適に開口部１１の形状に相補的な形状の断面を有し、これにより試験部材６０は、開口部１１内に挿入されることが可能であり、審美的理由に関して、開口部と試験部材との間に過剰に大きい隙間を残していない。
【００２８】
本発明によるシステムの試験部材６０は、少なくとも部分的に、例えば硬質の多孔質材料のような、液体または気体状態の香水が含侵することが可能な材料から形成されている。この材料は、例えば多孔質セラミックである。代替的に、この材料は、ポーレックス（登録商標）のような多孔質プラスチックである。これらの硬質の多孔質材料は、繰り返しの含侵または噴霧を可能にし、試験部材の不要な廃棄を回避している。さらに、これらの硬質且つ堅固な多孔質材料は、香水の検知に関して、特にベースノート、ハートノート、およびトップノートのすべての検知に関して、非常に適している。さらに、噴霧は代替的な経験なしに定期的に繰り返されることが可能である。加えて、この材料は耐久性を備え、可能な噴霧の回数は、１回使用の試験回数の紙または板紙とは異なり、非常に大きい。
【００２９】
「硬質材料」との用語は、使用者が試験部材６０を可視的に変形させることが不可能であるような材料を意味していると理解される。したがって、高い表面硬度を有する材料である。そのような材料は非常に堅固であり、それらが高い全体剛性を有することを意味している。
【００３０】
「多孔質材料」との用語は、流体に満たされることが可能なキャビティまたは孔を備えた材料を意味していると理解される。これらの孔は、例えば１０μｍから２００μｍの間のサイズである。有利には、これらの孔は、孔が、使用者に対して連続的且つ審美的な外観を提供するために、使用者にとって見ることが困難であるようなサイズとされている。
【００３１】
試験部材６０は、例えば長手方向Ｘに、
挿入端部６３へと延びた第１部分６１、および
挿入端部６３から離れるように把持端部６４へと延びた第２部分６２であって、この第２部分は、使用者が彼または彼女の手によって試験部材６０を操作することに適している、第２部分、を備えている。
【００３２】
したがって、使用者は、試験部材６０を、開口部１１を通じて挿入された位置へと挿入することが可能であり、第１部分６１の少なくとも一部は、特に試験部材６０の抜き取りの際に、筐体１０内において香水が含侵することが可能である。試験部材６０を筐体１０から抜き取った後に、使用者は、試験部材６０の第１部分６１に含侵した香水を匂うことが可能である。
【００３３】
例えば第１部分６１は、試験部材が挿入された位置にある場合、第１部分６１が筐体の外側に突出することなく、第２部分のみが筐体の外側から見ることが可能となるような長さに規定されている。したがって、システムはより審美的である。
【００３４】
図２の内部視野および図４の断面視野に示されたように、香水を試験するためのシステム１は、
筐体内に配置され、且つ試験部材が挿入された位置、または挿入された位置と引き出された位置との間にある場合に、試験部材６０に香水を分注することが可能な香水分注装置２０であって、挿入された位置および引き出された位置において、香水を受容するために、試験部材６０が所定の距離において分注装置２０に面した、香水分注装置２０（特に分注装置は、挿入された位置と引き出された位置との間にあることを意味した、試験部材６０の抜き取りの際に、香水を分注することが可能である）と、
開口部１１内の試験部材の存在または不存在を検出すること、より詳細には、筐体１０内側の挿入された位置における試験部材６０の存在または不存在を検出することに適した信号を提供するセンサ３０と、
筐体内に配置され、香水が試験部材６０に分注（噴霧）されるように、分注装置に作用することが可能なアクチュエータ４０と、
センサ３０からの信号を受信して、アクチュエータ４０を制御する処理ユニット５０と、をさらに備えている。
【００３５】
分注装置２０は、例えば浸漬管２３によって香水容器２２に接続されたポンプ２１から成る。
【００３６】
容器２２は香水を収容している。この容器は好適に筐体１０内に配置されているが、筐体１０の外側に配置されてもよく、この場合、浸漬管２３は、容器（図示略）へと接続されるために、筐体から外側に出ている。
【００３７】
図示された分注装置２０は、水平方向において、試験部材６０の側面６０ａに多量の香水を噴霧することが可能である。代替的に、分注装置２０は、垂直方向において試験部材６０の上面６０ｂもしくは下面６０ｃに香水を噴霧するように、または試験部材６０の形状に適した他の任意の方向に香水を噴霧するように配向され得る。
【００３８】
有利には、分注装置２０は、香水を受容する試験部材６０の面に直交して多量の香水を噴霧し、これは、この量の一部の損失を防止するためである。
【００３９】
センサ３０は、機械的、光学的、磁気的、または他のタイプのセンサとし得る。
【００４０】
図示された実施形態においては、センサ３０は機械的センサであり、本体３１と、本体３１の外側に延び、本体３１の内側の第１端部３２ａにおいて回転するようにヒンジ結合され、且つ本体の外側の第２端部３２ｂに停止部３３が設けられたレバー３２と、を備えている。停止部３３が試験部材６０との接触によって移動された場合、レバー３２は移動して、本体内の電気スイッチを閉じる。停止部３３が、試験部材の挿入された位置において、試験部材６０とそれ以上接触しない場合、レバー３２は反対方向に移動して、電気スイッチを開く。したがって、この電気スイッチは、挿入された位置における試験部材の有無を示す信号を発生させる。特に、この信号の状態の変化は、処理ユニットが、挿入位置から試験部材６０の消失を検出することを可能にしており、したがって噴霧時間を決定するために、正確な検出時間を知ることが可能である。
【００４１】
アクチュエータ４０は、例えば好適にステップモータであるモータ４１であり、このモータはアーム４３を駆動するモータ軸４２を回転させ、アーム４３は、アーム４３の回動によって分注装置２０を作動させるために、モータ軸からの距離ｄにおいて、分注装置２０と接触する。
【００４２】
故に、処理ユニット５０は、例えばよく知られたデジタルおよびアナログ入力部／出力部、メモリ、時計等を備えたマイクロプロセッサを備えている。入力部および出力部は、センサ３０におよびアクチュエータ４０に接続されている。メモリは、システムの操作に適したコード指示および情報を格納している。
【００４３】
システム１は、アクチュエータ４０および処理ユニット５０に電力を供給する電力供給装置を備えている。図３に示されたように、この電力供給装置が、１つ以上のセルまたはバッテリを収容した筐体１４の形式であり、電力網への接続を維持する必要性を排除することが可能である。
【００４４】
システム１は表示デバイス１３を備え、この表示デバイスは、
使用者が香水の正確なまたは不正確な供給を点検することが可能であるような、容器２２の挿入の問題、もしくはその逆の、容器２２の正確な挿入、および／または
使用者が電力の正確なまたは不正確な供給を点検することが可能であるような、セルまたはバッテリ充電レベルの問題、もしくはその逆の、良好な充電レベル、を表示するために使用される。
【００４５】
この表示デバイス１３は、使用者が、システムが正確に機能することが可能であるような、システムの電力供給状態を検査することが可能である。この表示デバイス１３は、単純に１つ以上の発光ダイオード（ＬＥＤ）、または多くの情報が表示されるべきである場合、可能であればスクリーンから構成され得る。ＬＥＤの場合、カラーコード、もしくは異なった速度の点滅、または他の任意のタイプのコードが、システム１の操作に関する情報を提供するために使用可能である。
【００４６】
システム１は処理ユニット５０に接続された制御ボタン１２を備え、この制御ボタンは、試験部材が筐体内に挿入されたときにセンサ３０によって検出された場合に、試験部材６０に香水を直ちに分注させることを可能にしている。システム１は、以下に記載された香水自動分注手順をさらに含んでいる。
【００４７】
本発明による、香水の試験のためのシステムにおいては、処理ユニット５０はセンサ３０からの信号を受信し、筐体１０からの試験部材６０の抜き取りの際の、特定の瞬間においてアクチュエータ４０を制御する。この手段を用いて、香水は、使用者の嗅覚的な体験の前に、手短に試験部材６０に分注される。したがって、この体験は、より制御され且つより良好に再生された、嗅がれる香水のベースノート、ハートノート、およびトップノート、換言すると、香水の全嗅覚的スペクトルを提供する。
【００４８】
筐体１０からの試験部材６０の抜き取りは、図５ａから図５ｄに示されている。
【００４９】
図５ａにおいては、試験部材６０は挿入された位置にあり、センサ３０からの信号は第１状態にあり、この状態は、試験部材の存在の検出に対応している。
【００５０】
図５ｂにおいては、矢印Ｆによって示されたように、試験部材６０は開口部１１からの引き出しが開始されている。例えば（機械的センサの場合）、停止部３３が試験部材６０との接触から解放され、それによりレバー３２を旋回させて、検出時間ｔｄにおいて、センサ３０からの信号を、第１状態から、挿入された位置における試験部材６０の不存在（欠如）の検出に対応した第２状態に切り替える。
【００５１】
信号３０のこの切り替えにより、したがって処理ユニット５０は、概略的に検出時間ｔｄにおいて、筐体１０から試験部材６０の消失を検出する。
【００５２】
図５ｃにおいては、試験部材６０は、開口部１１から引き出し続けられている。試験部材は、（挿入された位置と抜き取られた位置との間の）引き出された位置にある。処理ユニット５０は、検出時間ｔｄの直後に、試験部材のこの引き出しの際にアクチュエータ４０を制御し、これにより香水は、噴霧時間ｔｐにおいて、試験部材６０に分注される。
【００５３】
換言すると、開口部１１からの試験部材６０の引き出しの際に、噴霧時間ｔｐにおいて噴霧が生じ、
ｔｐ＝ｔｄ＋ｄｔ
である。ここで、
ｔｄは検出時間であり、
ｄｔは時間遅延である。
【００５４】
この噴霧時間ｔｐは、検出時間ｔｄに所定の時間遅延ｄｔを加えたものである。この時間遅延ｄｔは、少なくとも処理ユニット５０（電子）の応答時間、アクチュエータ４０（モータ）の応答時間、および分注装置２０（ポンプ）の応答時間の組み合わせである。
【００５５】
試験部材６０の使用者は、ある平均速度プロファイルに従って、試験部材を筐体１０の開口部１１から引き出す。
【００５６】
試験部材６０の抜き取りのための速度プロファイル、分注のための時間遅延ｄｔ、およびセンサ３０に対する、ポンプ２１の長手方向Ｘにおける位置のすべては、噴霧時間ｔｐにおける試験部材６０への香水の分注の位置Ｐを決定し、これは図５ｃに示されている。この位置Ｐは、例えば試験部材６０の挿入端部６３から、距離ｄｉの位置にある。
【００５７】
図５ｄにおいては、試験部材６０は、筐体１０から完全に除去された、抜き取られた位置にあり、使用者がその上に垂らされた香水を評価することが可能である。
【００５８】
特に、筐体からの抜き取りの際、換言すると最後の瞬間における、分注と組み合わされた硬質の多孔質材料を備えた試験部材６０の使用により、システムの使用者は、これまでに説明したように、香水の全嗅覚的スペクトルを経験することが可能である。
【００５９】
第１の変形によれば、最後の（前回の）噴霧時間ｔｐ´が時間的に十分に以前である場合に限り、換言すると、前回の噴霧時間ｔｐ´と今回の時間ｔとの間に計測された停止期間ｄｉが、第１の制限時間ＤＬ１よりも大きい場合に限り、処理ユニット５０はアクチュエータ４０を制御して、試験部材６０の引き出しの際に、香水を試験部材６０に分注させる。
【００６０】
噴霧は、換言すると、噴霧時間ｔｐにおいて、開口部１１から試験部材を引き出す際に、噴霧が生じ、そのとき
ｄｉ＝ｔ−ｔｐ´≧ＤＬ１
の場合に、
ｔｐ＝ｔｄ＋ｄｔ
である。
【００６１】
このことは、２つの連続した噴霧の間の期間が、第１の制限時間ＤＬ１よりも大きく、
ｔｐ−ｔｐ´≧ＤＬ１
であることを意味している。
【００６２】
このことは、香水が試験部材６０上に過剰に頻繁に分注されることを防止しており、換言すると、第１の制限時間ＤＬ１よりも短い短時間内に、連続して２回分注される。このことは、所定の時間を越えて過剰に大量の香水が試験部材上に分注されることを防止しており、したがって、試験部材６０に大量の香水を染み込ませることを回避している。したがって、経験されたベースノート、ハートノート、およびトップノートを意味した、香水の嗅覚スペクトルを不適切に修正することを回避している。
【００６３】
この第１の制限時間ＤＬ１は、例えば処理ユニットを設定することによって、例えば処理ユニットのための新しいソフトウェアをダウンロードすることによって修正される。
【００６４】
この第１の制限時間ＤＬ１は、５分から１２０分の間の数値を有し得る。このことは、これまでに説明したように、試験部材６０に香水を過剰に染み込ませることを防止している。この第１の制限時間ＤＬ１は、例えば６０分である。
【００６５】
別の変形によれば、処理ユニット５０は、（試験部材を引き出すまたは抜き取ることなく、換言すると、筐体内のその挿入された位置から試験部材の不在を検出しない限り）自動的に、または強制された様式において、アクチュエータ４０を周期的に制御している。このことは、試験部材６０が非常に長時間にわたって香水を染み込まされることを防止しており、長時間の染み込みは、経験される香水のベースノート、ハートノート、およびトップノートである、香水の嗅覚スペクトルを不適切に修正し得る。特に、周期的噴霧のこの工程は、試験部材６０上の香水の最小限の量を良好に維持することを補助しており、香水の全体的な嗅覚スペクトル、特にハートノートを維持する。
【００６６】
特に、前回の噴霧時間ｔｐ´と今回の時間ｔとの間に測定された再生期間ｄｒが、第２の制限時間ＤＬ２よりも大きい間に、試験部材６０の存在が筐体１０内に検出された場合、処理ユニット５０は、試験部材６０の消失がない限り、アクチュエータ４０を自動的に制御する。
【００６７】
換言すると、挿入された位置にある試験部材６０の噴霧は、ｄｒ＝ｔ−ｔｐ´≧ＤＬ２の場合、試験部材の引き出しが検出されていない場合に、自動的または強制的様式において生じさせられる。
【００６８】
このことは、２つの連続した噴霧の間の持続が、第２の制限時間ＤＬ２よりも小さいこと、換言すると、
ｔｐ−ｔｐ´≦ＤＬ２
であることを確実にしている。
【００６９】
この第２の制限時間ＤＬ２は、例えば処理ユニットを設定することによって、例えば処理ユニットのための新しいソフトウェアをダウンロードすることによって修正されることが可能である。
【００７０】
第２の制限時間ＤＬ２は、１２０分と６００分との間に含まれた数値を有し得る。このことは、先に説明したように、香水が試験部材６０に過剰に少なく染み込まされることを防止している。第２の制限時間ＤＬ２は、例えば１８０分である。
【００７１】
処理ユニットが、少なくとも前回の噴霧ｔｐの時間を格納していることは、当然である。前回の噴霧時間の数値ｔｐ´を意味した、試験部材６０の抜き取りに起因した、または第２の制限時間ＤＬ２に自動的に生じた新規の任意の噴霧は、今回の時間の数値ｔに更新される。
【００７２】
別の変形によれば、モータ４１は、分注装置２０によって分注される香水の量を変化させることが可能である。特に、分注装置２０が香水瓶内に使用されるタイプのポンプ２１である場合、このポンプ２１は、分注装置２０のヘッドが完全に作動させられた場合に、所定の量の香水を噴霧することが可能である。例えば、ポンプは１００マイクロリットルの所定の量を分注することが可能であり、この所定の量は、ポンプが１回の作動において送達することが可能な最大量である。したがって、モータ４１は、調節されることが可能な作動の大きさを備え、これにより分注装置２０は、所定の量（よりも少ない量）の部分のみを分注し得る。例えば、モータ４１は、所定の最大量の４分の１（１／４）、２分の１（１／２）、４分の３（３／４）、または全量を分注するように制御することが可能である。他のより精密な部分も可能とし得る。
【００７３】
アクチュエータモータ４１の制御のこの調節により、各香水の成分に適合された、調節可能な量の香水を試験部材６０に染み込ませることが可能である。この所定の量は、例えば前述の処理ユニット５０の設定によって修正可能である。
【００７４】
別の変形によれば、システム１は搭載検出手段（図示略）をさらに備え、システムが最初に起動された場合に、または容器が空もしくは空に近くなって、容器２２を交換した場合に、システムの筐体２４内への容器２２の挿入を検出する。システム１は、場合により表示装置１３を使用して、使用者に容器２２の正確または不正確な挿入を知らせ得る。
【００７５】
容器２２の筐体２４内への挿入を検出した後に、システムは、分注装置２０の準備のために、アクチュエータ４０を１回以上制御する。したがって、処理ユニット５０は、好適に所定の最大ポンプ量において、香水の複数の噴霧を連続的に制御する。噴霧のこの連続は、ポンプの性能に適合した速度において実行される。プライミングは香水分注回路を満たし、この回路は、浸漬管２３、ポンプ２１、および回路の他の任意の部品を意味している。プライミングの後、システム１は即時運転の準備完了となる。
【００７６】
別の変形によれば、システムは、アクチュエータを１回以上始動させ、したがって分注装置２０を強制的にプライミングさせるために、処理ユニット５０に接続されたプライミングボタンをさらに備えている。プライミングボタンは、場合により制御ボタン１２と同じボタンであり、ボタン信号のタイミングによって、２つの機能が制御ユニットに対して区別可能である。したがって、長押しまたは複数回押しがプライミング機能を始動し、短い時間の１回押しが、香水の単一の分注を始動させる。
【００７７】
別の変形によれば、システム１は、場合により容器２２に関する充満レベル検出手段を備え得るか、または充満レベルを推測し得る。この場合、処理ユニット５０は、充満レベルを推測するために、例えばアクチュエータ４０の各動作および／または各所定量の一部分をカウントする。システム１は、場合により表示デバイスを使用して、容器２２の充満レベルを使用者に知らせる。
【００７８】
別の変形によれば、システム１は、筐体内に配置され、開口部１１に接近した、且つその抜き取りの間に試験部材６０の少なくとも一部を拭うための位置にある吸収パッド１６を備えている。このことは、試験部材上のあらゆる余剰を防止している。吸収パッド１６は、例えば綿のような吸収性繊維から成るシリンダである。吸収パッド１６は、下向きに流れる香水を収集するために、例えば開口部１１の下部に配置されている。吸収パッド１６は、あらゆる過剰分を収集するために、開口部の側方位置、特に分注装置２０が試験部材６０上に香水を噴霧する側に配置されてもよい。吸収パッド１６が、開口部の全周にわたって配置されることが可能である。この吸収パッドは、試験部材６０の筐体１０内への挿入および筐体１０からの引き出しの間の品質の感知にも寄与しており、それは、吸収パッドが摺動ノイズを減衰させるためである。
【００７９】
別の変形によれば、システム１は、複数の開口部１１を備えた筐体１０、または複数の筐体１０であって、各筐体が開口部１１を備えた複数の筐体１０、を備えている。そのようなシステムにおいては、各開口部１１は試験部材６０を受容することが可能である。
【００８０】
開口部１１は、同じ容器から（１つの香水を）供給されるか、または異なった容器から（同じまたは異なり得る複数の香水を）供給される。
【００８１】
好適に、試験部材６０および開口部１１は、特定の試験部材が単一の香水のみを含浸されるような様式において、１つ以上の処理ユニット５０によって格納された、噴霧回数の制御された履歴に従って、各試験部材が関連した開口部のみに挿入されるように特定されている。
【００８２】
試験部材６０および開口部１１は適切な形状を有し、これにより試験部材６０は、（センサによってそれが検出されるまで）１つの開口部１１内のみに完全に挿入されて、過失を回避することが可能である。したがって、（関連していない）誤った開口部内に挿入された試験部材は、その開口部の香水を含浸することができない。試験部材６０のための適切な形状は、長手方向Ｘに横向きのまたは長手方向Ｘの断面において、符号化されたキーの形状を有する。
【００８３】
複数の筐体１０が使用される場合に、これらの筐体は有利に同一である。必要であれば、単一の動力供給源が、各筐体１０の後方に配置された動力コネクタ１５（図３に見られている）を通じて、多様な筐体に動力供給され、筐体１０の動力供給は、連鎖することが可能である。
【符号の説明】
【００８４】
１  ・・・香水を試験するためのシステム
１０  ・・・筐体
１１  ・・・開口部
１２  ・・・制御ボタン
１３  ・・・表示デバイス
１４  ・・・筐体
１５  ・・・動力コネクタ
１６  ・・・吸収パッド
２０  ・・・香水分注装置
２１  ・・・ポンプ
２２  ・・・香水容器
２３  ・・・浸漬管
２４  ・・・筐体
３０  ・・・センサ
３１  ・・・本体
３２  ・・・レバー
３３  ・・・停止部
４０  ・・・アクチュエータ
４１  ・・・モータ
４２  ・・・モータ軸
４３  ・・・アーム
５０  ・・・処理ユニット
６０  ・・・試験部材
６１  ・・・第１部分
６２  ・・・第２部分
６３  ・・・挿入端部
６４  ・・・把持端部
【図１】
2019523873.tif 000003
【図２】
2019523873.tif 000004
【図３】
2019523873.tif 000005
【図４】
2019523873.tif 000006
【図５ａ】
2019523873.tif 000007
【図５ｂ】
2019523873.tif 000008
【図５ｃ】
2019523873.tif 000009
【図５ｄ】
2019523873.tif 000010
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
香水を試験するためのシステム（１）であって、
開口部（１１）を備えた筐体（１０）と、
前記開口部を通じて前記筐体内に少なくとも部分的に挿入されることが可能な試験部材（６０）であって、該試験部材は、少なくとも部分的に、香水が含浸されることが可能な材料から形成された、試験部材（６０）と、
前記筐体内に配置され、且つ前記試験部材上に前記香水を分注することが可能な分注装置（２０）であって、該分注装置は、前記香水を収容した容器に接続された、分注装置（２０）と、
前記筐体内における前記試験部材の存在または不存在を検出することに適した信号を供給するセンサ（３０）と、
前記筐体内に配置され、且つ前記分注装置を作動させることが可能なアクチュエータ（４０）と、
前記センサからの信号を受信して、前記アクチュエータを制御し、香水を前記試験部材上に分注させる処理ユニット（５０）と、
を備え、
前記試験部材（６０）の材料は、硬質且つ多孔質であり、
前記処理ユニット（５０）は、前記試験部材の消失の検出に対応した検出時間（ｔｄ）に対して決定された噴霧時間（ｔｐ）において、前記アクチュエータを制御する、システム。
【請求項２】
大量の香水を前記試験部材に染み込ませることを回避するために、前記処理ユニット（５０）は前記アクチュエータ（４０）を制御して、前回の噴霧時間（ｔｐ´）と今回の時間（ｔ）との間に計測された停止期間（ｄｉ）が第１の制限時間（ＤＬ１）を越えた場合にのみ、前記香水を前記試験部材上に分注させる、請求項１に記載のシステム。
【請求項３】
前記第１の制限時間（ＤＬ１）は６０分に等しい、請求項２に記載のシステム。
【請求項４】
前記試験部材上の香水の量を最小に維持するために、前回の噴霧時間（ｔｐ´）と今回の時間（ｔ）との間に計測された再生期間（ｄｒ）の間に、前記試験部材の存在が前記筐体内において検出された場合、前記処理ユニット（５０）は、前記試験部材の消失を検出しない限り、前記アクチュエータ（４０）を自動的に制御しており、前記再生期間は、第２の制限時間（ＤＬ２）よりも長くなっている、請求項１から請求項３のいずれか一項に記載のシステム。
【請求項５】
前記第２の制限時間（ＤＬ２）は１８０分である、請求項４に記載のシステム。
【請求項６】
前記容器の搭載を検出するための手段（２２）をさらに備え、前記処理ユニット（５０）は、前記容器の搭載を検出した際に、前記分注装置（２０）の準備のために、前記アクチュエータを１回以上制御する、請求項１から請求項５のいずれか一項に記載のシステム。
【請求項７】
プライミングボタンをさらに備え、前記処理ユニット（５０）は、前記プライミングボタンの使用者による作動を検出した際に、前記分注装置（２０）の準備のために、前記アクチュエータを１回以上制御する、請求項１から請求項６のいずれか一項に記載のシステム。
【請求項８】
前記アクチュエータ（４０）は、前記試験部材へと前記分注装置（２０）によって分注される香水の量を変化させることに適した、制御可能なモータ（４１）を備えている、請求項１から請求項７のいずれか一項に記載のシステム。
【請求項９】
前記開口部（１１）に接近して前記筐体の内側に配置された吸収パッド（１６）をさらに備え、該吸収パッドは、前記試験部材の抜き取りの際に、前記試験部材（６０）の少なくとも一部を拭うことに適している、請求項１から請求項８のいずれか一項に記載のシステム。
【請求項１０】
前記吸収パッド（１６）は、前記開口部の下部に配置されている、請求項９に記載のシステム。
【請求項１１】
前記試験部材（６０）は、長手方向（Ｘ）において、香水を含浸させることに適した第１部分（６１）と、前記試験部材を操作することに適した第２部分（６２）と、を備え、前記第１部分（６１）は所定の長さを有し、これにより、前記試験部材が挿入された位置にある場合、前記センサは前記試験部材の存在を検出し、前記第１部分は前記筐体の外側に突出していない、請求項１から請求項１０のいずれか一項に記載のシステム。
【手続補正２】
【補正対象書類名】明細書
【補正対象項目名】００６６
【補正方法】変更
【補正の内容】
【００６６】
特に、前回の噴霧時間ｔｐ´と今回の時間ｔとの間に測定された再生期間ｄｒの間に、試験部材６０の存在が筐体１０内に検出された場合、処理ユニット５０は、試験部材６０の消失がない限り、アクチュエータ４０を自動的に制御しており、前述の再生期間は、第２の制限時間ＤＬ２よりも長くなっている。
【国際調査報告】
2019523873.tif 000011
2019523873.tif 000012
2019523873.tif 000013
2019523873.tif 000014
2019523873.tif 000015
2019523873.tif 000016